(57)【要約】【課題】  使用者の用途や体格に合せて伸縮調整することができる、特に子供用として適したスパッツを提供すること。【解決手段】  少なくとも足の臑部と足首部とを覆い得る長さを備えた筒状のスパッツ本体１に、このスパッツ本体１の長さ方向に沿って調整紐２を内装し、この調整紐２をスパッツ本体１から引き出すように操作することによりスパッツ本体１の長さを収縮調整し得るように構成する。【選択図】      図４
0003106619.tif 000002
【実用新案登録請求の範囲】
【請求項１】
少なくとも足の臑部と足首部とを覆い得る長さを備えた筒状のスパッツ本体に、このスパッツ本体の長さ方向に沿って調整紐を内装し、この調整紐をスパッツ本体から引き出すように操作することによりスパッツ本体の長さを収縮調整し得るように構成したことを特徴とするスパッツ。
【請求項２】
前記スパッツ本体の下部に、履物の裏面に掛回し当接させる掛バンドを設け、この掛バンドに前記調整紐を接続して、この調整紐をスパッツ本体から引き出すように操作することによりスパッツ本体の長さを収縮させると、この掛バンドも収縮するように構成したことを特徴とする請求項１記載のスパッツ。
【請求項３】
前記スパッツ本体の上縁部より前記調整紐の上部を露出せしめると共に、この露出する調整紐の上部にストッパーを設け、このストッパーによりスパッツ本体の上縁部より引き出した調整紐を位置決めすることでスパッツ本体を所望長さに保持し得るように構成したことを特徴とする請求項１，２のいずれか１項に記載のスパッツ。
【考案の詳細な説明】
【技術分野】
【０００１】
本考案は、足の臑部・足首部を保護すると共に、ほこり，小石，雨，雪などが履物内に入ることをよけるのに用いるスパッツに関するものである。
【背景技術】
【０００２】
従来、この種のスパッツとしては、足の臑部から足首部までを覆い得る長さを備えた筒状のスパッツ本体の下端部に、履物の裏面に掛回し当接させる掛バンドを設け、このスパッツ本体の上縁の裾部と下縁の裾部とには、ゴム等の伸縮部材が内装されて足や履物の適所に密着するように構成されている。
【０００３】
そして、このスパッツを足に装着して履物の足入口を被覆すれば、足の臑部・足首部が保護されると共に、小石や雨や雪などが履物内に入ることが防止されることになる。
【考案の開示】
【考案が解決しようとする課題】
【０００４】
この種のスパッツには、丈寸法の異なる数種類（例えば、ショート丈，セミロング丈，ロング丈等）が用意されており、用途や使用者の体格に合せて適当なものを選べるようになっている。
【０００５】
ところで、特に成長期の子供は、短期間で著しく体格が変化するので、例えば、購入した当初はショート丈がちょうどいいサイズでも、短期間で短くなってしまってセミロング丈やロング丈に買い替えなければならなくなることが往々にしてあり、非常に不経済である。
【０００６】
また、そうであるからといって最初から丈の長いものを購入してしまうと、スパッツが膝上まで被ってしまったりして、装着時の著しい体裁不良を招いてしまうことがあるので好ましくない。
【０００７】
本考案は、このようなスパッツの現状に鑑み、使用者の用途や体格に合せて簡単に丈調整を行うことができるスパッツを提案するものである。
【課題を解決するための手段】
【０００８】
添付図面を参照して本考案の要旨を説明する。
【０００９】
少なくとも足の臑部と足首部とを覆い得る長さを備えた筒状のスパッツ本体１に、このスパッツ本体１の長さ方向に沿って調整紐２を内装し、この調整紐２をスパッツ本体１から引き出すように操作することによりスパッツ本体１の長さを収縮調整し得るように構成したことを特徴とするスパッツに係るものである。
【００１０】
また、前記スパッツ本体１の下部に、履物５の裏面に掛回し当接させる掛バンド３を設け、この掛バンド３に前記調整紐２を接続して、この調整紐２をスパッツ本体１から引き出すように操作することによりスパッツ本体１の長さを収縮させると、この掛バンド３も収縮するように構成したことを特徴とする請求項１記載のスパッツに係るものである。
【００１１】
また、前記スパッツ本体１の上縁部より前記調整紐２の上部を露出せしめると共に、この露出する調整紐２の上部にストッパー４を設け、このストッパー４によりスパッツ本体１の上縁部より引き出した調整紐２を位置決めすることでスパッツ本体１を所望長さに保持し得るように構成したことを特徴とする請求項１，２のいずれか１項に記載のスパッツに係るものである。
【考案の効果】
【００１２】
本考案は上述のように構成したから、単に、調整紐をスパッツ本体から引き出すように操作することによりスパッツ本体の長さ（丈寸法）を簡単に収縮調整できる。
【００１３】
従って、使用者の用途や体格に合せた丈寸法の伸縮調整が容易に行われることになり、特に成長期の子供用として非常に有用となる極めて実用性に秀れたスパッツとなる。
【００１４】
また、請求項２記載の考案においては、掛バンドを履物の裏面に掛回し当接させることによってスパッツ本体が使用者の意に反してずり上がってしまうことを確実に阻止でき、しかも、この掛バンドによるずり上がり防止状態では、調整紐を引き出すように操作してスパッツ本体を収縮調整することが容易に行えることになり、その上、スパッツ本体の丈の収縮に伴って掛バンドも収縮するので、履物や足の大きさに合せて履物の足入口を確実にスパッツ本体が覆うことができるように掛バンドを調整することも可能となるなど、一層実用性に秀れた構成のスパッツとなる。
【００１５】
また、請求項３記載の考案においては、スパッツ本体の上縁部から露出する調整紐の上部を使用者が手で操作し易く、しかも、スパッツ本体の丈を調整したら、その調整した丈寸法をストッパーで確実に保持できるなど、一層実用性に秀れた構成のスパッツとなる。
【考案を実施するための最良の形態】
【００１６】
好適と考える本考案の実施形態（考案をどのように実施するか）を、図面に基づいて本考案の作用を示して簡単に説明する。
【００１７】
筒状のスパッツ本体１を足に被覆装着して少なくとも臑部と足首部とを覆うと共に、例えば、スパッツ本体１が足に履いた履物５の足入口を覆うようにする。すると、このスパッツ本体１によって足の臑部・足首部が保護されると共に、ほこりや小石や雨や雪などが履物５内に入ることが防止されることになる。
【００１８】
また、本考案では、スパッツ本体１の長さ方向に沿って内装した調整紐２を、スパッツ本体１から引き出すように操作すると、スパッツ本体１の長さが収縮する。
【００１９】
従って、単に、調整紐２をスパッツ本体１より引き出すように操作することにより、スパッツ本体１の長さ（丈寸法）を簡単に短く調整できる。
【００２０】
そのため、使用者の用途に合せてスパッツ本体１の丈寸法を容易に収縮調整できるし、例えば、子供用として用いる場合には、子供の成長のことを考えて丈が長めのものを選択したとしても、子供が成長するまでは丈を短く調整して体裁不良とならずに使用することができ、子供の成長に合せて徐々に丈を長くして行くように調整することができるので、非常に経済的となる。
【００２１】
また、例えば、前記スパッツ本体１の下部に、履物５の裏面に掛回し当接させる掛バンド３を設け、この掛バンド３に前記調整紐２を接続して、この調整紐２をスパッツ本体１から引き出すように操作することによりスパッツ本体１の長さを収縮させると、この掛バンド３も収縮するように構成した場合には、従来の掛バンド付スパッツと同様に、掛バンド３を履物５の裏面に掛回し当接させることによってスパッツ本体１が使用者の意に反してずり上がってしまうことを確実に阻止でき、しかも、この掛バンド３によるずり上がり防止状態では、位置決めされたスパッツ本体１から調整紐２を引き出すように操作してスパッツ本体１の収縮調整を行うことが容易にでき、その上、スパッツ本体１の丈の収縮に伴って掛バンド３も収縮するので、履物５や足の大きさに合せてこの履物５の足入口を確実にスパッツ本体１が覆うことができるように掛バンド３を調整することも可能となるなど、一層実用的となる。
【００２２】
また、例えば、前記スパッツ本体１の上縁部より前記調整紐２の上部を露出せしめると共に、この露出する調整紐２の上部にストッパー４を設け、このストッパー４によりスパッツ本体１の上縁部より引き出した調整紐２を位置決めすることでスパッツ本体１を所望長さに保持し得るように構成した場合には、スパッツ本体１の上縁部から露出する調整紐２の上部を使用者が手で操作し易く、しかも、この調整紐２を引き出すように操作してスパッツ本体１の丈を調整したら、その調整した丈寸法をストッパー４で確実に保持できるので、一層実用的となる。
【実施例】
【００２３】
本考案の具体的な実施例について図面に基づいて説明する。
【００２４】
本実施例は、足の臑部から足首部までを覆い得る長さを備えた筒状のスパッツ本体１に、このスパッツ本体１の長さ方向に沿って調整紐２を内装し、この調整紐２をスパッツ本体１から引き出すように操作することによりスパッツ本体１の長さを収縮調整し得るように構成している。
【００２５】
具体的には、スパッツ本体１は、図１に示すように、上縁部と下縁部とにゴムなどの伸縮材を内装し、このスパッツ本体１を足に被覆装着すると、スパッツ本体１の上縁部が足の臑部の周囲に密着し、下縁部が履物５の足入口より下方の、履物５の足首部分の周囲に密着する構成としている。
【００２６】
また、このスパッツ本体１は、防水性の素材を採用して構成し、雪よけ・雨よけに適した構成としている。
【００２７】
このスパッツ本体１の下縁部の左右対向位置間に、履物５の裏（底）面に掛回し当接させる掛バンド３を架設状態にして設けている。
【００２８】
また、この掛バンド３は、スパッツ本体１の下縁部に対して位置決め固定せず、出入可能となるように設けている。
【００２９】
調整紐２は、二本用意し、スパッツ本体１の左右側部に夫々一本ずつスパッツ本体１の長さ方向（上下方向）に沿って内装すると共に、夫々の調整紐２の下端部は、前記掛バンド３の両端部に連設した各連結環３Ａに結び止めし、夫々の調整紐２の上端部は、スパッツ本体１の上縁部の左右部に形成した切欠穴６からスパッツ本体１の上部外方へと露出させている。
【００３０】
従って、この左右の調整紐２のスパッツ本体１の上縁部より露出している上部を上方へ引き出すと、掛バンド３の左右両端部も引っ張られて、スパッツ本体１下縁部よりも突出長さが短くなるように構成している。
【００３１】
また、本実施例では、スパッツ本体１の上縁部より露出する調整紐２の上部にストッパー４を設け、このストッパー４によりスパッツ本体１の上縁部より引き出した調整紐２を位置決めすることでスパッツ本体１を所望長さに保持し得るように構成している。
【００３２】
ストッパー４は、ワンハンドアジャスターとも称される公知の止め具を採用している。
【００３３】
このストッパー４を詳しく説明すると、筒状体４Ａ内に押圧体４Ｂが嵌挿されて抜け止め状態に設けられると共に、この押圧体４Ｂは筒状体４に対し抜け脱しようとする方向に付勢されるように構成される。また、この筒状体４Ａと押圧体４Ｂとには、この筒状体４Ａと押圧体４Ｂの長さ方向と直交する方向に貫通する貫通孔14（押圧体４Ｂの貫通孔は図示省略）が設けられると共に、前記付勢力によって常態では夫々の貫通孔14が位置を違わせるように設けられ、押圧体４Ｂを前記付勢力に抗して押圧すると、夫々の貫通孔14の位置が合うように構成される。本実施例では、この位置を合せたストッパー４の各貫通孔14に前記調整紐２の上部を挿通している。
【００３４】
従って、このストッパー４は、前記付勢力による各貫通孔14の位置の違いによって挿通した調整紐２を挟み込み固定し、これにより調整紐２に対してストッパー４が位置決められる構成としている。
【００３５】
また、このストッパー４は、図３に示すように、前記夫々の貫通孔14に挿通した止め紐７の両端部を前記スパッツ本体１上縁部の前記各切欠穴６近傍に縫着することで、このスパッツ本体１の上縁部付近に配置した構成としている。
【００３６】
このように構成した本実施例のスパッツの伸縮調整方法を説明すると、ストッパー４の貫通孔14に挿通されてストッパー４よりも上方に突出している調整紐２の上端部を上方へ引っ張ると共に、例えば、ストッパー４の押圧体４Ｂを押圧して（押圧しなくても良い。）下方へ押し下げるように操作すると、スパッツ本体１の丈寸法をスムーズに縮めることができる。
【００３７】
そして、このスパッツ本体１の丈寸法が縮んだ状態では、ストッパー４が調整紐２に対し位置決めされるため、スパッツ本体１の上縁部が意に反して勝手にずり上がったりすることなく、スパッツ本体１が所望長さに保持されることになる。
【００３８】
また、縮んだスパッツ本体１を伸長させる場合には、単にストッパー４の押圧体４Ｂを押圧して（押圧しなくても良い。）ストッパー４を上方へ引き上げれば良い。
【００３９】
本実施例では、ストッパー４を備えた調整紐２をスパッツ本体１の左右対向位置の二箇所に設けたため、ストッパー４が一箇所にしかない場合に比べて、スパッツ本体１を伸ばした状態と縮めた状態とを安定的に保持できることになる。
【００４０】
尚、本考案は、本実施例に限られるものではなく、各構成要件の具体的構成は適宜設計し得るものである。
【図面の簡単な説明】
【００４１】
【図１】本実施例を示す斜視図である。
【図２】本実施例の調整紐と掛バンドとの接続構造を示す部分拡大説明図である。
【図３】本実施例のスパッツ本体及び調整紐と、ストッパーとの関係を示す部分拡大説明図である。
【図４】本実施例の使用状態並びにスパッツ本体の伸縮調整動作を示す説明図である。
【符号の説明】
【００４２】
１  スパッツ本体
２  調整紐
３  掛バンド
４  ストッパー
５  履物
【図１】
0003106619.tif 000003
【図２】
0003106619.tif 000004
【図３】
0003106619.tif 000005
【図４】
0003106619.tif 000006